(57)【要約】【課題】データを分担して送信するために増設可能である無線ＬＡＮ通信装置、及び当該無線ＬＡＮ通信装置を制御するプログラム及び制御方法を提供する。【解決手段】マスタ無線ＬＡＮ通信装置２０００は、送信データを分割して複数の部分送信データを生成し、部分送信データをスレーブ無線ＬＡＮ通信装置３０００へ分配し、スレーブ無線ＬＡＮ通信装置３０００へ送信同期信号を送信し、送信同期信号を送信したタイミングに基づいて、スレーブ無線ＬＡＮ通信装置３０００へ分配しなかった残りの部分送信データを無線で送信する。【選択図】図１
2014082553.tif 000002
【特許請求の範囲】
【請求項１】
第１の送信データを分割して、複数の第１部分送信データを生成する送信データ分割手段と、
前記複数の第１部分送信データの一部を、他の送信用の無線ＬＡＮ通信装置へ分配する送信データ分配手段と、
前記複数の第１部分送信データを送信するタイミングを示す送信同期信号を、前記他の送信用の無線ＬＡＮ通信装置へ送信する送信タイミング送信手段と、
前記送信同期信号を送信したタイミングに基づいて、前記複数の第１部分送信データのうち、前記他の送信用の無線ＬＡＮ通信装置へ分配しなかった第１部分送信データを、無線で送信する無線送信手段と、
を有する無線ＬＡＮ通信装置。
【請求項２】
第２の送信データを分割することによって生成した複数の第２部分送信データの一部を、前記他の送信用の無線ＬＡＮ通信装置から受信する部分送信データ受信手段と、
前記複数の第２部分送信データを送信するタイミングを示す前記送信同期信号を受信する送信タイミング受信手段と、
をさらに有し、
前記無線送信手段は、前記送信タイミング受信手段が前記送信同期信号を受信した場合は、前記送信同期信号を受信したタイミングに基づいて、前記部分送信データ受信手段が受信した前記第２部分送信データを無線で送信すること、
を特徴とする請求項１記載の無線ＬＡＮ通信装置。
【請求項３】
第１の送信データを分割することによって生成した複数の第１部分送信データの一部を、他の無線ＬＡＮ通信装置から受信する部分送信データ受信手段と、
前記第１部分送信データを送信するタイミングを示す送信同期信号を受信する送信タイミング受信手段と、
前記送信同期信号を受信したタイミングに基づいて、前記部分送信データ受信手段が受信した前記第１部分送信データを送信する無線送信手段と、
を有する無線ＬＡＮ通信装置。
【請求項４】
第３の送信データを分割して生成された複数の第３部分受信データの一部を含む無線信号を受信する無線受信手段と、
前記複数の第３部分受信データを分担して受信する他の受信用の無線ＬＡＮ通信装置に対し、前記第３部分受信データを処理するタイミングを示す受信同期信号を送信する受信タイミング送信手段と、
前記他の受信用の無線ＬＡＮ通信装置との間で、前記無線信号が伝送される伝送路の特性を表すチャネル推定情報を送受信するチャネル推定情報送受信手段と、
前記受信同期信号を送信したタイミングに基づき、前記チャネル推定情報を用いて、前記無線信号から、前記第３部分受信データを抽出する信号処理手段と、
前記他の受信用の無線ＬＡＮ通信装置から、前記第３部分受信データを収集する受信データ収集手段と、
前記信号処理手段が抽出した前記第３部分受信データと、前記受信データ収集手段が収集した前記第３部分受信データとを結合し、前記第３の送信データを復元するデータ結合手段と、
をさらに有する請求項１乃至３いずれか一項に記載の無線ＬＡＮ通信装置。
【請求項５】
第４の送信データから生成された複数の第４部分受信データを分担して受信する他の受信用の無線ＬＡＮ通信装置から、前記第４部分受信データを処理するタイミングを示す受信同期信号を受信する受信タイミング受信手段と、
前記信号処理手段が抽出した前記第４部分受信データを、前記他の受信用の無線ＬＡＮ通信装置へ送信する部分受信データ送信手段と、
をさらに有し、
前記信号処理手段は、前記受信タイミング受信手段が前記受信同期信号を受信した場合は、前記受信同期信号を受信したタイミングに基づいて、前記無線信号を処理すること、
を特徴とする請求項４に記載の無線ＬＡＮ通信装置。
【請求項６】
第１の送信データを分割して生成された複数の第１部分受信データの一部を含む無線信号を受信する無線受信手段と、
前記複数の第１部分受信データを分担して受信する他の受信用の無線ＬＡＮ通信装置に対し、前記第１部分受信データを処理するタイミングを示す受信同期信号を送信する受信タイミング送信手段と、
前記他の受信用の無線ＬＡＮ通信装置との間で、前記無線信号が伝送される伝送路の特性を表すチャネル推定情報を送受信するチャネル推定情報送受信手段と、
前記受信同期信号を送信したタイミングに基づき、前記チャネル推定情報を用いて、前記無線信号から、前記第１部分受信データを抽出する信号処理手段と、
前記他の受信用の無線ＬＡＮ通信装置から、前記第１部分受信データを収集する受信データ収集手段と、
前記信号処理手段が抽出した前記第１部分受信データと、前記受信データ収集手段が収集した前記第１部分受信データを結合し、前記第１の送信データを復元するデータ結合手段と、
を有する無線ＬＡＮ通信装置。
【請求項７】
第２の送信データから生成された複数の第２部分受信データを分担して受信する他の受信用の無線ＬＡＮ通信装置から、前記第２部分受信データを処理するタイミングを示す前記受信同期信号を受信する受信タイミング受信手段と、
前記信号処理手段が抽出した前記第２部分受信データを、前記他の受信用の無線ＬＡＮ通信装置へ送信する部分受信データ送信手段と、
をさらに有し、
前記信号処理手段は、前記受信タイミング受信手段が前記受信同期信号を受信した場合は、前記受信同期信号を受信したタイミングに基づいて、前記無線信号を処理すること、
を特徴とする請求項６記載の無線ＬＡＮ通信装置。
【請求項８】
第１の送信データを分割して生成された複数の第１部分受信データの一部を含む無線信号を受信する無線受信手段と、
前記複数の第１部分受信データを分担して受信する他の受信用の無線ＬＡＮ通信装置から、前記第１部分受信データを処理するタイミングを示す受信同期信号を受信する受信タイミング受信手段と、
前記他の受信用の無線ＬＡＮ通信装置との間で、前記無線信号が伝送される伝送路の特性を表すチャネル推定情報を送受信するチャネル推定情報送受信手段と、
前記受信同期信号を受信したタイミングに基づき、前記チャネル推定情報を用いて、前記無線信号から、前記第１部分受信データを抽出する信号処理手段と、
前記信号処理手段が抽出した前記第１部分受信データを、前記他の受信用の無線ＬＡＮ通信装置へ送信する部分受信データ送信手段と、
を有する無線ＬＡＮ通信装置。
【請求項９】
コンピュータを、無線ＬＡＮ通信装置として機能させる無線ＬＡＮ通信装置制御プログラムであって、
前記コンピュータに、
第１の送信データを分割して、複数の第１部分送信データを生成する送信データ分割機能と、
前記複数の第１部分送信データの一部を、他の送信用の無線ＬＡＮ通信装置へ分配する送信データ分配機能と、
前記複数の第１部分送信データを送信するタイミング示す送信同期信号を、前記他の送信用の無線ＬＡＮ通信装置へ送信する送信タイミング送信機能と、
前記送信同期信号を送信したタイミングに基づいて、前記複数の第１部分送信データのうち、前記他の送信用の無線ＬＡＮ通信装置へ分配しなかった第１部分送信データを、無線で送信する無線送信機能と、
を持たせる無線ＬＡＮ通信装置制御プログラム。
【請求項１０】
コンピュータが、無線ＬＡＮ通信装置を制御する無線ＬＡＮ通信装置制御方法であって、
前記コンピュータが、第１の送信データを分割して、複数の第１部分送信データを生成する送信データ分割ステップと、
前記コンピュータが、前記複数の第１部分送信データの一部を、他の送信用の無線ＬＡＮ通信装置へ分配する送信データ分配ステップと、
前記コンピュータが、前記複数の第１部分送信データを送信するタイミング示す送信同期信号を、前記他の送信用の無線ＬＡＮ通信装置へ送信する送信タイミング送信ステップと、
前記コンピュータが、前記送信同期信号を送信したタイミングに基づいて、前記複数の第１部分送信データのうち、前記他の送信用の無線ＬＡＮ通信装置へ分配しなかった第１部分送信データを、無線で送信する無線送信ステップと、
を有する無線ＬＡＮ通信装置制御方法。
【発明の詳細な説明】
【技術分野】
【０００１】
本発明は、無線ＬＡＮ通信装置、無線ＬＡＮ通信装置制御プログラム、及び無線ＬＡＮ通信装置制御方法に関する。
【背景技術】
【０００２】
ＭＩＭＯ（Ｍｕｌｔｉ  Ｉｎｐｕｔ  Ｍｕｌｔｉ  Ｏｕｔｐｕｔ）方式無線ＬＡＮ通信における無線ＬＡＮ通信速度を向上するためには、変調多値数の増大、アンテナ送信電力の増大、無線周波数帯の拡張などの方法がある。
【０００３】
しかし、無線ＬＡＮにおける通信時の送信電力には規定があり、無線通信速度を向上するために、従来以上にアンテナ送信電力を増大する事は難しい。また、変調多値数を増大させる方法は、各シンボル間での振幅差がより小さくなるため、送信電力を増大しなければ実現が難しい。また、無線ＬＡＮ通信装置における無線周波数帯は、ＩＥＥＥ８０２．１１ｎで４０ＭＨｚに拡張されており、これ以上の帯域拡張は難しい。よって、上記以外の方法で、無線ＬＡＮにおける通信速度を向上する技術が必要である。
【０００４】
特許文献１記載の装置は、無線通信システムで利用される再構成可能なアンテナ装置である。上記装置は、複数のアンテナで構成されるアンテナアレイを有し、チャネル状態の変化に応じて、上記複数のアンテナのうち、選択したアンテナ同士を接続してアンテナを再構成する。
【０００５】
特許文献２記載の技術は、複数のアンテナを持つ基地局と、複数のクライアント装置との間でデータを送受信するための技術である。複数の各クライアント装置と基地局との間でトレーニング信号を用いた解析を行うことで、各アンテナと各クライアントとの間で送受信する信号間の干渉を事前に相殺するための重みを計算する。そして、各アンテナと各クライアントは、上記重みを使ってプリコーディングしたデータ信号を送受信する。
【先行技術文献】
【特許文献】
【０００６】
【特許文献１】特表２００８−５２７９５０号公報
【特許文献２】特表２０１０−５３７５７７号公報
【発明の概要】
【発明が解決しようとする課題】
【０００７】
本発明者は、複数の無線ＬＡＮ通信装置でデータを分担して送信するために、無線ＬＡＮ通信装置を増設可能にすることを考えた。特許文献１は、伝送路の状態などに合わせてアンテナのアーキテクチャを再構成する技術であり、無線ＬＡＮ通信装置を増設する技術は開示していない。また、特許文献２記載の技術において、各クライアント装置は独立しており、個別に基地局とやりとりを行う。そのため、特許文献２記載の技術を用いて、無線ＬＡＮ通信装置の増設を行うことはできない。
【０００８】
本発明の目的は、データを分担して送信するために増設可能である無線ＬＡＮ通信装置、及び当該無線ＬＡＮ通信装置を制御するプログラム及び制御方法を提供することである。
【課題を解決するための手段】
【０００９】
本発明が提供する第１の無線ＬＡＮ通信装置は、第１の送信データを分割して、複数の第１部分送信データを生成する送信データ分割手段と、前記複数の第１部分送信データの一部を、他の送信用の無線ＬＡＮ通信装置へ分配する送信データ分配手段と、前記複数の第１部分送信データを送信するタイミングを示す送信同期信号を、前記他の送信用の無線ＬＡＮ通信装置へ送信する送信タイミング送信手段と、前記送信同期信号を送信したタイミングに基づいて、前記複数の第１部分送信データのうち、前記他の送信用の無線ＬＡＮ通信装置へ分配しなかった第１部分送信データを、無線で送信する無線送信手段を有する。
【００１０】
本発明が提供する無線ＬＡＮ通信装置制御プログラムは、コンピュータに、上記第１の無線ＬＡＮ通信装置が有する各機能構成部の機能を持たせるプログラムである。
【００１１】
本発明が提供する無線ＬＡＮ通信装置制御方法は、コンピュータが、無線ＬＡＮ通信装置を制御する無線ＬＡＮ通信装置制御方法である。当該制御方法は、前記コンピュータが、第１の送信データを分割して、複数の第１部分送信データを生成する送信データ分割ステップと、前記コンピュータが、前記複数の第１部分送信データの一部を、他の送信用の無線ＬＡＮ通信装置へ分配する送信データ分配ステップと、前記コンピュータが、前記複数の第１部分送信データを送信するタイミング示す送信同期信号を、前記他の送信用の無線ＬＡＮ通信装置へ送信する送信タイミング送信ステップと、前記コンピュータが、前記送信同期信号を送信したタイミングに基づいて、前記複数の第１部分送信データのうち、前記他の送信用の無線ＬＡＮ通信装置へ分配しなかった第１部分送信データを、無線で送信する無線送信ステップを有する。
【００１２】
本発明が提供する第２の無線ＬＡＮ通信装置は、第１の送信データを分割することによって生成した複数の第１部分送信データの一部を、他の無線ＬＡＮ通信装置から受信する部分送信データ受信手段と、前記第１部分送信データを送信するタイミングを示す送信同期信号を受信する送信タイミング受信手段と、前記送信同期信号を受信したタイミングに基づいて、前記部分送信データ受信手段が受信した前記第１部分送信データを送信する無線送信手段とを有する。
【００１３】
本発明が提供する第３の無線ＬＡＮ通信装置は、第１の送信データを分割して生成された複数の第１部分受信データの一部を含む無線信号を受信する無線受信手段と、前記複数の第１部分受信データを分担して受信する他の受信用の無線ＬＡＮ通信装置に対し、前記第１部分受信データを処理するタイミングを示す受信同期信号を送信する受信タイミング送信手段と、前記他の受信用の無線ＬＡＮ通信装置との間で、前記無線信号が伝送される伝送路の特性を表すチャネル推定情報を送受信するチャネル推定情報送受信手段と、前記受信同期信号を送信したタイミングに基づき、前記チャネル推定情報を用いて、前記無線信号から、前記第１部分受信データを抽出する信号処理手段と、前記他の受信用の無線ＬＡＮ通信装置から、前記第１部分受信データを収集する受信データ収集手段と、前記信号処理手段が抽出した前記第１部分受信データと、前記受信データ収集手段が収集した前記第１部分受信データを結合し、前記第１の送信データを復元するデータ結合手段とを有する。
【００１４】
本発明が提供する第４の無線ＬＡＮ通信装置は、第１の送信データを分割して生成された複数の第１部分受信データの一部を含む無線信号を受信する無線受信手段と、複数の前記第１部分受信データを分担して受信する他の受信用の無線ＬＡＮ通信装置から、前記第１部分受信データを処理するタイミングを示す受信同期信号を受信する受信タイミング受信手段と、前記他の受信用の無線ＬＡＮ通信装置との間で、前記無線信号が伝送される伝送路の特性を表すチャネル推定情報を送受信するチャネル推定情報送受信手段と、前記受信同期信号を受信したタイミングに基づき、前記チャネル推定情報を用いて、前記無線信号から、前記第１部分受信データを抽出する信号処理手段と、前記信号処理手段が抽出した前記第１部分受信データを、前記他の受信用の無線ＬＡＮ通信装置へ送信する部分受信データ送信手段とを有する。
【発明の効果】
【００１５】
本発明によれば、データを分担して送信するために増設可能である無線ＬＡＮ通信装置、及び当該無線ＬＡＮ通信装置を制御するプログラム及び制御方法を提供することができる。
【図面の簡単な説明】
【００１６】
【図１】実施形態１に係るマスタ無線ＬＡＮ通信装置とスレーブ無線ＬＡＮ通信装置を表すブロック図である。
【図２】実施形態１に係るマスタ無線ＬＡＮ通信装置の構成の具体例を示すブロック図である。
【図３】実施形態１に係るマスタ無線ＬＡＮ通信装置とスレーブ無線ＬＡＮ通信装置の処理の流れを示すフローチャートである。
【図４】実施形態１の変形例１に係るマスタ無線ＬＡＮ通信装置とスレーブ無線ＬＡＮ通信装置を表すブロック図である。
【図５】実施形態１の変形例２に係るマスタ無線ＬＡＮ通信装置とスレーブ無線ＬＡＮ通信装置を表すブロック図である。
【図６】実施形態２に係るマスタ無線ＬＡＮ通信装置とスレーブ無線ＬＡＮ通信装置を表すブロック図である。
【図７】実施形態２の信号処理部４０８０の構成の具体例を示すブロック図である。
【図８】実施形態２に係るマスタ無線ＬＡＮ通信装置とスレーブ無線ＬＡＮ通信装置の処理の流れを示すフローチャートである。
【図９】実施形態２の変形例１に係るマスタ無線ＬＡＮ通信装置とスレーブ無線ＬＡＮ通信装置を表すブロック図である。
【図１０】実施形態２の変形例２に係るマスタ無線ＬＡＮ通信装置とスレーブ無線ＬＡＮ通信装置を表すブロック図である。
【図１１】実施形態２の変形例３に係るマスタ無線ＬＡＮ通信装置の一つを表すブロック図である。
【図１２】実施形態２の変形例３に係るマスタ無線ＬＡＮ通信装置の一つを表すブロック図である。
【図１３】実施形態２の変形例３に係るマスタ無線ＬＡＮ通信装置の一つを表すブロック図である。
【図１４】実施形態２の変形例３に係るマスタ無線ＬＡＮ通信装置の一つを表すブロック図である。
【図１５】実施形態２の変形例３に係るマスタ無線ＬＡＮ通信装置の一つを表すブロック図である。
【図１６】実施形態２の変形例３に係るマスタ無線ＬＡＮ通信装置の一つを表すブロック図である。
【図１７】実施形態２の変形例４に係るスレーブ無線ＬＡＮ通信装置の一つを表すブロック図である。
【図１８】実施形態２の変形例４に係るスレーブ無線ＬＡＮ通信装置の一つを表すブロック図である。
【図１９】実施形態２の変形例４に係るスレーブ無線ＬＡＮ通信装置の一つを表すブロック図である。
【発明を実施するための形態】
【００１７】
以下、本発明の実施の形態について、図面を用いて説明する。尚、すべての図面において、同様な構成要素には同様の符号を付し、適宜説明を省略する。
【００１８】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１９】
[実施形態１]
図１は、本実施形態に係るマスタ無線ＬＡＮ通信装置２０００及びスレーブ無線ＬＡＮ通信装置３０００を表すブロック図である。マスタ無線ＬＡＮ通信装置２０００とスレーブ無線ＬＡＮ通信装置３０００において、同符号の機能構成部は、同じ機能を有するとする。図１において、矢印の流れは情報の流れを表している。
【００２０】
マスタ無線ＬＡＮ通信装置２０００は、送信データ分割部２０２０、送信データ分配部２０４０、送信タイミング送信部２０６０、無線送信部２０８０を有する。スレーブ無線ＬＡＮ通信装置３０００は、部分送信データ受信部３０２０、送信タイミング受信部３０４０、及び無線送信部２０８０を有する。
【００２１】
送信データ分割部２０２０は、送信データを分割して、複数の部分送信データを生成する。
【００２２】
送信データ分配部２０４０は、生成した複数の部分送信データを、マスタ無線ＬＡＮ通信装置２０００の無線送信部２０８０と、スレーブ無線ＬＡＮ通信装置３０００の無線送信部２０８０へ分配する。
【００２３】
送信タイミング送信部２０６０は、送信同期信号をスレーブ無線ＬＡＮ通信装置３０００へ送信する。送信同期信号は、マスタ無線ＬＡＮ通信装置２０００の無線送信部２０８０とスレーブ無線ＬＡＮ通信装置３０００の無線送信部２０８０において、部分送信データを送信するタイミングを同期するための信号である。同期方法の詳細は、後述する。
【００２４】
マスタ無線ＬＡＮ通信装置２０００の無線送信部２０８０は、送信タイミング送信部２０６０が送信同期信号を送信したタイミングに基づいて、スレーブ無線ＬＡＮ通信装置３０００へ分配しなかった残りの部分送信データを無線で送信する。
【００２５】
部分送信データ受信部３０２０は、送信データ分配部２０４０によって分配された上記部分送信データを受信する。
【００２６】
送信タイミング受信部３０４０は、送信同期信号を受信する。
【００２７】
スレーブ無線ＬＡＮ通信装置３０００の無線送信部２０８０は、送信タイミング受信部３０４０が送信同期信号を受信したタイミングに基づいて、部分送信データ受信部３０２０が受信した部分送信データを無線で送信する。
【００２８】
以上により、本実施形態のマスタ無線ＬＡＮ通信装置２０００とスレーブ無線ＬＡＮ通信装置３０００は、部分送信データと送信同期信号をやりとりすることで、タイミングを合わせて部分送信データを無線で送信する。したがって、マスタ無線ＬＡＮ通信装置２０００は、スレーブ無線ＬＡＮ通信装置３０００を増設し、増設したスレーブ無線ＬＡＮ通信装置３０００と分担して部分送信データを送信することができる。
【００２９】
以下、本実施形態の詳細を述べる。
【００３０】
＜全体の構成の詳細＞
マスタ無線ＬＡＮ通信装置２０００は、複数のスレーブ無線ＬＡＮ通信装置３０００と接続されていてもよい。この場合、マスタ無線ＬＡＮ通信装置２０００は、１つの送信データを分割した複数の部分送信データを、複数のスレーブ無線ＬＡＮ通信装置３０００と分担して送信する。
【００３１】
＜マスタ無線ＬＡＮ通信装置２０００とスレーブ無線ＬＡＮ通信装置３０００の接続＞
マスタ無線ＬＡＮ通信装置２０００及びスレーブ無線ＬＡＮ通信装置３０００は、送信同期信号と部分送信データをやりとりするために、互いに通信可能に接続される。マスタ無線ＬＡＮ通信装置２０００とスレーブ無線ＬＡＮ通信装置３０００の間は、有線で接続されても、無線で接続されても、又はそれらを混在した方法で接続されてもよい。
【００３２】
マスタ無線ＬＡＮ通信装置２０００及びスレーブ無線ＬＡＮ通信装置３０００は、例えば互いを通信可能に接続するインタフェース部を有する。マスタ無線ＬＡＮ通信装置２０００とスレーブ無線ＬＡＮ通信装置３０００が有線で接続される場合、上記インタフェース部は、例えばケーブルを接続するコネクタである。マスタ無線ＬＡＮ通信装置２０００とスレーブ無線ＬＡＮ通信装置３０００が無線で接続される場合、上記インタフェース部は、例えば無線信号を送受信するインタフェースである。
【００３３】
上記インタフェース部は、部分送信データをやりとりするためのインタフェースと、送信同期信号をやりとりするためのインタフェースを有する。これら２つのインタフェースは、同一であっても、異なっていてもよい。例えば、部分送信データをやりとりするインタフェースと、送信同期信号をやりとりするインタフェースが異なるとする。この場合、部分送信データのやりとりと、送信同期信号のやりとりは、異なる方法で行ってもよい。例えばインタフェース部は、部分送信データのやりとりを有線回線で行い、送信同期信号のやりとりを無線回線で行う。
【００３４】
また、マスタ無線ＬＡＮ通信装置２０００と複数のスレーブ無線ＬＡＮ通信装置３０００を接続する場合、各装置が有するインタフェース部を互いに接続する方法は様々である。例えば、各スレーブ無線ＬＡＮ通信装置３０００のインタフェース部を、マスタ無線ＬＡＮ通信装置２０００のインタフェース部と接続する。その他にも例えば、マスタ無線ＬＡＮ通信装置２０００と複数のスレーブ無線ＬＡＮ通信装置３０００を、デージーチェーン形式で接続してもよい。例えば、マスタ無線ＬＡＮ通信装置２０００と２つのスレーブ無線ＬＡＮ通信装置３０００を接続する場合、マスタ無線ＬＡＮ通信装置２０００のインタフェース部と第１のスレーブ無線ＬＡＮ通信装置３０００のインタフェース部を接続し、第１のスレーブ無線ＬＡＮ通信装置３０００のインタフェース部と第２のスレーブ無線ＬＡＮ通信装置３０００のインタフェース部を接続する。マスタ無線ＬＡＮ通信装置２０００は、第１のスレーブ無線ＬＡＮ通信装置３０００のインタフェース部を介して、第２のスレーブ無線ＬＡＮ通信装置３０００と通信する。
【００３５】
＜スレーブ無線ＬＡＮ通信装置３０００の検出方法＞
マスタ無線ＬＡＮ通信装置２０００は、通信可能に接続されているスレーブ無線ＬＡＮ通信装置３０００を検出する。その方法は様々である。例えば、マスタ無線ＬＡＮ通信装置２０００は、マスタ無線ＬＡＮ通信装置２０００と新たに通信可能に接続されたスレーブ無線ＬＡＮ通信装置３０００を検出する装置検出部を有する。
【００３６】
その他にも例えば、マスタ無線ＬＡＮ通信装置２０００は、スレーブ無線ＬＡＮ通信装置３０００との間で検出用の信号をやりとりしてもよい。この場合、マスタ無線ＬＡＮ通信装置２０００は、接続されている全てのスレーブ無線ＬＡＮ通信装置３０００へ、パルス信号等の検出用信号を送信する。検出用信号を受信したスレーブ無線ＬＡＮ通信装置３０００は、検出用信号に対する応答信号を、マスタ無線ＬＡＮ通信装置２０００へ送信する。マスタ無線ＬＡＮ通信装置２０００は、応答信号の数を検出することで、自身と通信可能に接続されているスレーブ無線ＬＡＮ通信装置３０００の数を検出する。この検出信号のやりとりは、定期的に行われてもよいし、不定期に行われてもよい。
【００３７】
＜送信データ分割部２０２０の詳細＞
送信データ分割部２０２０は、送信データを分割して、部分送信データを生成する。送信データ分割部２０２０が生成する部分送信データのデータ長は、固定であっても、可変であってもよい。データ長が可変の場合、例えば送信データ分割部２０２０は、マスタ無線ＬＡＮ通信装置２０００と接続されているスレーブ無線ＬＡＮ通信装置３０００の数に応じて、データ長を変更する。
【００３８】
＜送信タイミング送信部２０６０の詳細＞
送信タイミング送信部２０６０が、送信タイミング受信部３０４０に対して送信する送信同期信号は様々である。例えば送信タイミング送信部２０６０は、送信同期信号として、パルス信号を送信タイミング受信部３０４０へ送信する。
【００３９】
＜同期の方法＞
上記送信同期信号を利用して、マスタ無線ＬＡＮ通信装置２０００の無線送信部２０８０とスレーブ無線ＬＡＮ通信装置３０００の無線送信部２０８０との間で、送信タイミングを同期する方法は様々である。例えば送信タイミング送信部２０６０は、マスタ無線ＬＡＮ通信装置２０００の無線送信部２０８０が部分送信データを送信するタイミングで、送信タイミング受信部３０４０へ送信同期信号を送信する。送信同期信号を受信した送信タイミング受信部３０４０は、上記送信同期信号を受信したタイミングで、スレーブ無線ＬＡＮ通信装置３０００の無線送信部２０８０へ通知を行う。送信タイミング受信部３０４０から通知を受けたスレーブ無線ＬＡＮ通信装置３０００の無線送信部２０８０は、上記通知を受けたタイミングで、部分送信データの送信を行う。このように、スレーブ無線ＬＡＮ通信装置３０００は、マスタ無線ＬＡＮ通信装置２０００から送信同期信号を受信したタイミングに基づいて部分送信データの送信を行うことで、マスタ無線ＬＡＮ通信装置２０００との間で、部分送信データを送信するタイミングを合わせる。
【００４０】
その他の同期方法として、例えば次の方法がある。送信タイミング送信部２０６０は、マスタ無線ＬＡＮ通信装置２０００の無線送信部２０８０が部分送信データを送信する前に、送信タイミング受信部３０４０へ送信同期信号を送信する。送信同期信号を受信した送信タイミング受信部３０４０は、送信同期信号を受信したタイミングで、送信タイミング送信部２０６０へ応答信号を送信する。また、送信タイミング受信部３０４０は、応答信号を送信するのと同時に、スレーブ無線ＬＡＮ通信装置３０００の無線送信部２０８０へ通知を行う。送信タイミング受信部３０４０から通知を受けたスレーブ無線ＬＡＮ通信装置３０００の無線送信部２０８０は、上記通知を受けたタイミングで、部分送信データの送信を行う。
【００４１】
また、送信タイミング受信部３０４０から応答信号を受信した送信タイミング送信部２０６０は、上記応答信号を受けたタイミングで、マスタ無線ＬＡＮ通信装置２０００の無線送信部２０８０へ通知を行う。送信タイミング送信部２０６０から通知を受けたマスタ無線ＬＡＮ通信装置２０００の無線送信部２０８０は、上記通知を受けたタイミングで、部分送信データの送信を行う。
【００４２】
その他にも例えば、次のような同期方法がある。一般の無線ＬＡＮ通信装置は、例えば図２に示すマスタ無線ＬＡＮ通信装置２０００とスレーブ無線ＬＡＮ通信装置３０００のように、送信データに対して処理を行う符号化部２１２０、変調部２１４０、ガードインターバル挿入部２１６０、及びＲＦ処理部２１８０などを有する。符号化部２１２０は、
送信データに誤り訂正情報を付加しながら、送信データの符号化を行う。変調部２１４０は、符号化したデータで搬送波を変調する。ガードインターバル挿入部２１６０は、変調した搬送波にガードインターバルを挿入する。ガードインターバル挿入部２１６０は、ガードインターバルが挿入された搬送波を高周波に変換する。ここで、これらの機能構成部が有する機能は、既知の機能であるため、詳細な説明は省略する。
【００４３】
マスタ無線ＬＡＮ通信装置２０００とスレーブ無線ＬＡＮ通信装置３０００がこれらの機能構成部を有する場合、マスタ無線ＬＡＮ通信装置２０００とスレーブ無線ＬＡＮ通信装置３０００は、例えばこれらの機能構成部それぞれが部分送信データを処理するタイミングを同期することで、部分送信データの送信タイミングを同期する。
【００４４】
例えば、マスタ無線ＬＡＮ通信装置２０００の送信タイミング送信部２０６０は、マスタ無線ＬＡＮ通信装置２０００の符号化部２１２０が部分送信データの符号化処理を開始したタイミングで、送信タイミング受信部３０４０に対して同期信号を送信する。この場合、送信タイミング受信部３０４０は、送信同期信号を受信したタイミングで、送信タイミング送信部２０６０へ応答信号を送信する。また、送信タイミング受信部３０４０は、応答信号を受信するのと同時に、スレーブ無線ＬＡＮ通信装置３０００の符号化部２１２０へ通知を行う。スレーブ無線ＬＡＮ通信装置３０００の符号化部２１２０は、上記通知を受けたタイミングで、部分送信データの符号化を行う。
【００４５】
また、送信タイミング受信部３０４０から応答信号を受信したマスタ無線ＬＡＮ通信装置２０００の送信タイミング送信部２０６０は、マスタ無線ＬＡＮ通信装置２０００の符号化部２１２０へ通知を行う。上記通知を受けたマスタ無線ＬＡＮ通信装置２０００の符号化部２１２０は、上記通知を受けたタイミングで、部分送信データの符号化を行う。
【００４６】
このように、送信同期信号を利用し、マスタ無線ＬＡＮ通信装置２０００とスレーブ無線ＬＡＮ通信装置３０００において、同じ機能を有する機能構成部が部分送信データを処理するタイミングを同期する。こうすることで、最終的にマスタ無線ＬＡＮ通信装置２０００の無線送信部２０８０とスレーブ無線ＬＡＮ通信装置３０００の無線送信部２０８０が部分送信データを送信するタイミングが同期される。
【００４７】
＜処理の流れ＞
図３は、マスタ無線ＬＡＮ通信装置２０００とスレーブ無線ＬＡＮ通信装置３０００が、タイミングを合わせて部分送信データを無線で送信する処理の流れの一例を示すフローチャートである。
【００４８】
ステップＳ１０２において、マスタ無線ＬＡＮ通信装置２０００の送信データ分割部２０２０は、送信データを複数の部分送信データに分割する。
【００４９】
ステップＳ１０４において、マスタ無線ＬＡＮ通信装置２０００の送信データ分配部２０４０は、スレーブ無線ＬＡＮ通信装置３０００へ、複数の部分送信データの一部を送信する。
【００５０】
ステップＳ１０６において、スレーブ無線ＬＡＮ通信装置３０００の部分送信データ受信部３０２０は、マスタ無線ＬＡＮ通信装置２０００の送信データ分配部２０４０が送信した部分送信データを受信する。そして、ステップＳ１０８において、スレーブ無線ＬＡＮ通信装置３０００は、マスタ無線ＬＡＮ通信装置２０００から送信同期信号を受信するまで待機する。
【００５１】
ステップＳ１１０において、マスタ無線ＬＡＮ通信装置２０００の送信タイミング送信部２０６０は、スレーブ無線ＬＡＮ通信装置３０００に対し、送信同期信号を送信する。そして、ステップＳ１１２において、マスタ無線ＬＡＮ通信装置２０００は、スレーブ無線ＬＡＮ通信装置３０００から応答信号を受信するまで待機する。
【００５２】
ステップＳ１０８で待機していたスレーブ無線ＬＡＮ通信装置３０００は、ステップＳ１１０においてマスタ無線ＬＡＮ通信装置２０００の送信タイミング送信部２０６０が送信した送信同期信号を受信することで、ステップＳ１１４に進む。
【００５３】
ステップＳ１１４において、スレーブ無線ＬＡＮ通信装置３０００の送信タイミング受信部３０４０は、マスタ無線ＬＡＮ通信装置２０００に対して応答信号を送信する。
【００５４】
ステップＳ１１２で待機していたマスタ無線ＬＡＮ通信装置２０００は、ステップＳ１１４においてスレーブ無線ＬＡＮ通信装置３０００の送信タイミング受信部３０４０が送信した応答信号を受信することで、ステップＳ１１６に進む。
【００５５】
ステップＳ１１６において、マスタ無線ＬＡＮ通信装置２０００とスレーブ無線ＬＡＮ通信装置３０００はそれぞれ、部分送信データを無線で送信する。
【００５６】
＜変形例１＞
図４に示すように、マスタ無線ＬＡＮ通信装置２０００は、スレーブ無線ＬＡＮ通信装置３０００が有する機能構成部を有してもよい。こうすることで、マスタ無線ＬＡＮ通信装置２０００は、スレーブ無線ＬＡＮ通信装置３０００としても機能することができる。図４において、実線の矢印は、マスタ無線ＬＡＮ通信装置２０００がマスタ無線ＬＡＮ通信装置２０００として動作する場合の情報の流れを表している。また、図４において、点線の矢印は、マスタ無線ＬＡＮ通信装置２０００がスレーブ無線ＬＡＮ通信装置３０００として動作する場合の情報の流れを表している。
【００５７】
同様に、スレーブ無線ＬＡＮ通信装置３０００は、マスタ無線ＬＡＮ通信装置２０００が有する機能構成部を有してもよい。こうすることで、スレーブ無線ＬＡＮ通信装置３０００は、マスタ無線ＬＡＮ通信装置２０００としても機能することができる。この場合のスレーブ無線ＬＡＮ通信装置３０００の構成は、図４に示すマスタ無線ＬＡＮ通信装置２０００の構成と同様である。
【００５８】
＜変形例２＞
図５に示すように、マスタ無線ＬＡＮ通信装置２０００及びスレーブ無線ＬＡＮ通信装置３０００は、無線送信部２０８０を複数有していてもよい。例えば、マスタ無線ＬＡＮ通信装置２０００とスレーブ無線ＬＡＮ通信装置３０００が２つずつ無線送信部２０８０を有する場合、送信データ分割部２０２０は、４つの無線送信部２０８０で分担して部分送信データを送信する。
【００５９】
この場合、スレーブ無線ＬＡＮ通信装置３０００の部分送信データ受信部３０２０は、送信データ分配部２０４０から複数の部分送信データを受信する。そして、部分送信データ受信部３０２０は、受信した複数の部分送信データを各無線送信部２０８０へ分配する。
【００６０】
変形例２における送信タイミングの同期方法は、例えば次のようになる。送信タイミング送信部２０６０は、マスタ無線ＬＡＮ通信装置２０００の全ての無線送信部２０８０が部分送信データを送信する前に、送信タイミング受信部３０４０へ送信同期信号を送信する。スレーブ無線ＬＡＮ通信装置３０００からの送信同期信号を受信した送信タイミング受信部３０４０は、送信同期信号を受信したタイミングで、送信タイミング送信部２０６０へ応答信号を送信する。また、送信タイミング受信部３０４０は、応答信号を送信するのと同時に、スレーブ無線ＬＡＮ通信装置３０００の各無線送信部２０８０へ通知を行う。送信タイミング受信部３０４０から通知を受けたスレーブ無線ＬＡＮ通信装置３０００の各無線送信部２０８０は、上記通知を受けたタイミングで、部分送信データの送信を行う。
【００６１】
また、送信タイミング受信部３０４０から応答信号を受信した送信タイミング送信部２０６０は、上記応答信号を受けたタイミングで、マスタ無線ＬＡＮ通信装置２０００の各無線送信部２０８０へ通知を行う。送信タイミング送信部２０６０から通知を受けたマスタ無線ＬＡＮ通信装置２０００の各無線送信部２０８０は、上記通知を受けたタイミングで、部分送信データの送信を行う。
【００６２】
マスタ無線ＬＡＮ通信装置２０００及びスレーブ無線ＬＡＮ通信装置３０００は、符号化部２１２０等、部分送信データを処理する機能構成部を、無線送信部２０８０と同じ数有する。
【００６３】
＜変形例３＞
マスタ無線ＬＡＮ通信装置２０００とスレーブ無線ＬＡＮ通信装置３０００は、ダイバーシティを行うことを目的に利用することも可能である。この場合、マスタ無線ＬＡＮ通信装置２０００とスレーブ無線ＬＡＮ通信装置３０００は、同じ部分送信データを無線で送信する。こうすることで、マスタ無線ＬＡＮ通信装置２０００とスレーブ無線ＬＡＮ通信装置３０００が送信した部分送信データを受信する受信装置において、受信データの品質及び信頼性を高めることができる。ここで、ダイバーシティ技術は既知の技術であるため、詳細は省略する。
【００６４】
＜作用・効果＞
以上により、本実施形態によれば、マスタ無線ＬＡＮ通信装置２０００は、スレーブ無線ＬＡＮ通信装置３０００に対して部分送信データと送信同期信号を送信する。そして、マスタ無線ＬＡＮ通信装置２０００とスレーブ無線ＬＡＮ通信装置３０００は、１つの送信データを分割した部分送信データを、タイミングを合わせて無線で送信する。したがって、マスタ無線ＬＡＮ通信装置２０００は、部分送信データを分担して送信するために、スレーブ無線ＬＡＮ通信装置３０００を増設することができる。マスタ無線ＬＡＮ通信装置２０００は、スレーブ無線ＬＡＮ通信装置３０００を増設することで、データ送信速度の増加や、同時接続可能のユーザ数の増加を行うことができる。
【００６５】
[実施形態２]
図６は、本実施形態におけるマスタ無線ＬＡＮ通信装置４０００及びスレーブ無線ＬＡＮ通信装置５０００を表すブロック図である。マスタ無線ＬＡＮ通信装置４０００とスレーブ無線ＬＡＮ通信装置５０００において、同符号の機能構成部は、同じ機能を有する。また、図６において、矢印の流れは情報の流れを示している。
【００６６】
マスタ無線ＬＡＮ通信装置４０００及びスレーブ無線ＬＡＮ通信装置５０００は、データを含む無線信号を受信する。上記無線信号は、１つの送信データを複数の部分データに分割し、各部分データを複数のアンテナから無線信号で送信する送信装置から送信される。以下、各無線信号に含まれる部分データを、部分受信データと表記する。
【００６７】
マスタ無線ＬＡＮ通信装置４０００は、無線受信部４０２０、受信タイミング送信部４０４０、チャネル推定情報送受信部４０６０、信号処理部４０８０、受信データ収集部４１００、及び受信データ結合部４１２０を有する。スレーブ無線ＬＡＮ通信装置５０００は、無線受信部４０２０、チャネル推定情報送受信部４０６０、信号処理部４０８０、受信タイミング受信部５０２０、及び部分受信データ送信部５０４０を有する。
【００６８】
無線受信部４０２０は、部分受信データを含む無線信号を受信する。
【００６９】
受信タイミング送信部４０４０は、スレーブ無線ＬＡＮ通信装置５０００に対して、無線受信部４０２０が部分受信データを処理するタイミングを示す受信同期信号を送信する。
【００７０】
マスタ無線ＬＡＮ通信装置４０００のチャネル推定情報送受信部４０６０と、スレーブ無線ＬＡＮ通信装置５０００のチャネル推定情報送受信部４０６０は、部分受信データを含む無線信号が伝送される各伝送路の特性を示すチャネル推定情報を互いに送受信する。
【００７１】
信号処理部４０８０は、チャネル推定情報に基づいて、無線受信部４０２０が受信した無線信号を処理し、無線信号から部分受信データを抽出する。マスタ無線ＬＡＮ通信装置４０００の信号処理部４０８０は、受信タイミング送信部４０４０が受信同期信号を送信したタイミングに基づいて、上記無線信号を処理する。スレーブ無線ＬＡＮ通信装置５０００の信号処理部４０８０は、受信タイミング受信部５０２０が受信同期信号を受信したタイミングに基づいて、上記無線信号を処理する。
【００７２】
受信データ収集部４１００は、スレーブ無線ＬＡＮ通信装置５０００が受信した部分受信データを収集する。
【００７３】
受信データ結合部４１２０は、受信データ収集部４１００がスレーブ無線ＬＡＮ通信装置５０００から収集した部分受信データと、マスタ無線ＬＡＮ通信装置４０００の信号処理部４０８０が抽出した部分受信データを結合し、元の送信データを復元する。
【００７４】
受信タイミング受信部５０２０は、マスタ無線ＬＡＮ通信装置４０００の受信タイミング送信部４０４０から、受信同期信号を受信する。
【００７５】
部分受信データ送信部５０４０は、スレーブ無線ＬＡＮ通信装置５０００が受信した部分受信データを受信データ収集部４１００へ送信する。
【００７６】
以上により、本実施形態のマスタ無線ＬＡＮ通信装置４０００とスレーブ無線ＬＡＮ通信装置５０００は、１つの送信データを分割して生成した複数の部分受信データと、受信同期信号をやりとりすることで、複数の部分受信データを分担して受信し、元の送信データを復元することができる。したがって、マスタ無線ＬＡＮ通信装置４０００は、部分受信データを分担して受信するスレーブ無線ＬＡＮ通信装置５０００を増設することが可能である。
【００７７】
以下、本実施形態の詳細を述べる。
【００７８】
＜全体の構成＞
マスタ無線ＬＡＮ通信装置４０００は、複数のスレーブ無線ＬＡＮ通信装置５０００と接続されてもよい。この場合、マスタ無線ＬＡＮ通信装置４０００は、１つの送信データを分割して生成された複数の部分受信データを、複数のスレーブ無線ＬＡＮ通信装置５０００と分担して受信する。
【００７９】
＜マスタ無線ＬＡＮ通信装置４０００とスレーブ無線ＬＡＮ通信装置５０００の接続＞
マスタ無線ＬＡＮ通信装置４０００及びスレーブ無線ＬＡＮ通信装置５０００は、例えば互いを通信可能に接続するインタフェース部を有する。マスタ無線ＬＡＮ通信装置４０００とスレーブ無線ＬＡＮ通信装置５０００は、有線で接続されても、無線で接続されても、またはそれらを混在させて接続されてもよい。マスタ無線ＬＡＮ通信装置４０００とスレーブ無線ＬＡＮ通信装置５０００が有線で接続される場合、上記インタフェース部は、例えばケーブルを接続するコネクタである。マスタ無線ＬＡＮ通信装置４０００とスレーブ無線ＬＡＮ通信装置５０００が無線で接続される場合、上記インタフェース部は、例えば無線信号を送受信するインタフェースである。
【００８０】
上記インタフェース部は、部分受信データをやりとりするためのインタフェースと、受信同期信号をやりとりするためのインタフェースを有する。これら２つのインタフェースは、同一であっても、異なっていてもよい。例えば、部分受信データをやりとりするインタフェースと、受信同期信号をやりとりするインタフェースが異なるとする。この場合、部分受信データのやりとりと、受信同期信号のやりとりは、異なる方法で行ってもよい。例えばインタフェース部は、部分受信データのやりとりを有線回線で行い、受信同期信号のやりとりを無線回線で行う。
【００８１】
また、マスタ無線ＬＡＮ通信装置４０００と複数のスレーブ無線ＬＡＮ通信装置５０００を接続する場合、各装置が有するインタフェース部を互いに接続する方法は様々である。例えば、各スレーブ無線ＬＡＮ通信装置５０００のインタフェース部を、マスタ無線ＬＡＮ通信装置４０００のインタフェース部と接続する。その他にも例えば、マスタ無線ＬＡＮ通信装置４０００と複数のスレーブ無線ＬＡＮ通信装置５０００を、デージーチェーン形式で接続してもよい。例えば、マスタ無線ＬＡＮ通信装置４０００と２つのスレーブ無線ＬＡＮ通信装置５０００を接続する場合、マスタ無線ＬＡＮ通信装置４０００のインタフェース部と第１のスレーブ無線ＬＡＮ通信装置５０００のインタフェース部を接続し、第１のスレーブ無線ＬＡＮ通信装置５０００のインタフェース部と第２のスレーブ無線ＬＡＮ通信装置５０００のインタフェース部を接続する。マスタ無線ＬＡＮ通信装置４０００は、第１のスレーブ無線ＬＡＮ通信装置５０００のインタフェース部を介して、第２のスレーブ無線ＬＡＮ通信装置５０００と通信する。
【００８２】
＜スレーブ無線ＬＡＮ通信装置５０００の検出方法＞
マスタ無線ＬＡＮ通信装置４０００は、通信可能に接続されているスレーブ無線ＬＡＮ通信装置５０００を検出する。その方法は様々である。例えば、マスタ無線ＬＡＮ通信装置４０００は、マスタ無線ＬＡＮ通信装置４０００と新たに通信可能に接続されたスレーブ無線ＬＡＮ通信装置５０００を検出する装置検出部を有する。
【００８３】
その他にも例えば、マスタ無線ＬＡＮ通信装置４０００は、スレーブ無線ＬＡＮ通信装置５０００との間で検出用の信号をやりとりしてもよい。この場合、マスタ無線ＬＡＮ通信装置４０００は、接続されている全てのスレーブ無線ＬＡＮ通信装置５０００へ、パルス信号等の検出用信号を送信する。検出用信号を受信したスレーブ無線ＬＡＮ通信装置５０００は、検出用信号に対する応答信号を、マスタ無線ＬＡＮ通信装置４０００へ送信する。マスタ無線ＬＡＮ通信装置４０００は、応答信号の数を検出することで、自身と通信可能に接続されているスレーブ無線ＬＡＮ通信装置５０００の数を検出する。この検出信号のやりとりは、定期的に行われてもよいし、不定期に行われてもよい。
【００８４】
＜信号処理部４０８０の詳細＞
信号処理部４０８０は、例えば図７に示すように、ＲＦ処理部４０８１、ガードインターバル除去部４０８２、信号分離部４０８３、復調部４０８４、及び復号部４０８５を有する。ＲＦ処理部４０８１は、受信信号の周波数を変換する。ガードインターバル除去部４０８２は、受信信号からガードインターバルを除去する。信号分離部４０８３は、受信信号に含まれる複数の信号を分離する。そして、信号分離部４０８３は、分離した複数の信号のうち、マスタ無線ＬＡＮ通信装置４０００が受信すべき受信信号を、復調部４０８４へ出力する。復調部４０８４は、信号分離部４０８３が出力した受信信号を復調し、受信データに誤り情報が付加された符号系列を抽出する。そして、復号部４０８５は、誤り情報が付加された符号系列から、部分受信データを抽出する。なお、上記各機能構成部の機能は既知であるため、詳細な説明は省略する。
【００８５】
＜チャネル推定情報送受信部４０６０の詳細＞
マスタ無線ＬＡＮ通信装置４０００は、複数のアンテナから送信された各信号を、混信状態で受信する。そのため、マスタ無線ＬＡＮ通信装置４０００は、様々な方法を用いて、受信した混信状態の信号を、各アンテナが送信した複数の信号に分離する処理を行う必要がある。以下、上記処理を信号分離処理と呼ぶ。この信号分離処理は、信号処理部４０８０が行う。具体的には、例えば上述したように信号処理部４０８０が図７の構成で表される場合、信号分離部４０８３が信号分離処理を行う。ここで、信号分離処理の具体例としては、ＭＭＳＥ法、ＳＩＣ法、及びＱＲＭ−ＭＬＤ法などがある。これらの方法は既知であるため、詳細な説明は省略する。
【００８６】
信号分離処理には、サブキャリア信号毎の、無線伝送路で生じた位相や振幅に対する歪みを推定した情報が必要である。この、サブキャリア信号毎の、無線伝送路で生じた位相や振幅に対する歪みを推定した情報がチャネル推定情報である。チャネル推定情報は、マスタ無線ＬＡＮ通信装置４０００とスレーブ無線ＬＡＮ通信装置５０００との間で共有する必要がある。そこで、マスタ無線ＬＡＮ通信装置４０００のチャネル推定情報送受信部４０６０は、スレーブ無線ＬＡＮ通信装置５０００のチャネル推定情報送受信部４０６０との間でそれぞれが生成したチャネル推定情報を送受信する。これにより、マスタ無線ＬＡＮ通信装置４０００とスレーブ無線ＬＡＮ通信装置５０００との間でチャネル推定情報を共有する。信号処理部４０８０は、自身が生成したチャネル推定情報、またはチャネル推定情報送受信部４０６０が他の無線ＬＡＮ通信装置から取得したチャネル推定情報を用いて、信号分離処理を行う。
【００８７】
＜受信タイミング送信部４０４０の詳細＞
受信タイミング送信部４０４０が、受信タイミング受信部５０２０に対して送信する受信同期信号は様々である。例えば受信タイミング受信部５０２０は、受信同期信号として、パルス信号を受信タイミング受信部５０２０へ送信する。
【００８８】
＜同期の方法＞
受信同期信号を利用して、マスタ無線ＬＡＮ通信装置４０００とスレーブ無線ＬＡＮ通信装置５０００が同期を取る方法は様々である。例えば、マスタ無線ＬＡＮ通信装置４０００の受信タイミング送信部４０４０は、マスタ無線ＬＡＮ通信装置４０００の信号処理部４０８０が、部分受信データを含む無線信号の処理を開始する前に、受信同期信号を送信する。受信タイミング受信部５０２０は、受信同期信号を受信する。そして、受信タイミング受信部５０２０は、受信同期信号を受信したタイミングで、マスタ無線ＬＡＮ通信装置４０００に対して応答信号を送信すると共に、スレーブ無線ＬＡＮ通信装置５０００の信号処理部４０８０に対して通知を行う。上記通知を受けたスレーブ無線ＬＡＮ通信装置５０００の信号処理部４０８０は、上記通知を受けたタイミングで、スレーブ無線ＬＡＮ通信装置５０００の無線受信部４０２０が受信した無線信号の処理を開始する。
【００８９】
応答信号を受信したマスタ無線ＬＡＮ通信装置４０００の受信タイミング送信部４０４０は、応答信号を受信したタイミングで、マスタ無線ＬＡＮ通信装置４０００の信号処理部４０８０へ通知を行う。上記通知を受けたマスタ無線ＬＡＮ通信装置４０００の信号処理部４０８０は、上記通知を受けたタイミングで、マスタ無線ＬＡＮ通信装置４０００の無線受信部４０２０が受信した無線信号の処理を開始する。
【００９０】
このように、マスタ無線ＬＡＮ通信装置４０００とスレーブ無線ＬＡＮ通信装置５０００それぞれの信号処理部４０８０が、無線受信部４０２０が受信した無線信号を処理するタイミングを同期する。こうすることで、マスタ無線ＬＡＮ通信装置４０００の信号処理部４０８０と、スレーブ無線ＬＡＮ通信装置５０００の信号処理部４０８０から、同じタイミングで出力される部分受信データを、１つの送信データを分割して生成された複数の部分受信データとみなす。
【００９１】
その他にも例えば、次の同期方法がある。マスタ無線ＬＡＮ通信装置４０００は、上記信号処理部４０８０が有する各機能構成部それぞれが受信信号の処理を開始するタイミングで、受信タイミング送信部４０４０から受信同期信号を送信する。そして、スレーブ無線ＬＡＮ通信装置５０００の信号処理部４０８０が有する各機能構成部は、受信タイミング受信部５０２０が受信同期信号を受信したタイミングで処理を開始する。
【００９２】
このように、マスタ無線ＬＡＮ通信装置４０００の信号処理部４０８０が有する各機能構成部と、スレーブ無線ＬＡＮ通信装置５０００の信号処理部４０８０が有する各機能構成部との間で、無線受信部４０２０が受信した無線信号を処理するタイミングを同期する。そして、マスタ無線ＬＡＮ通信装置４０００の信号処理部４０８０と、スレーブ無線ＬＡＮ通信装置５０００の信号処理部４０８０から、同じタイミングで出力される部分受信データを、１つの送信データを分割して生成された部分受信データとみなす。
【００９３】
＜処理方法の流れ＞
図８は、マスタ無線ＬＡＮ通信装置４０００が、スレーブ無線ＬＡＮ通信装置５０００と分担して部分受信データを受信し、１つの送信データを復元する処理の流れの一例を示すフローチャートである。
【００９４】
ステップＳ１０２において、マスタ無線ＬＡＮ通信装置４０００の無線受信部４０２０と、スレーブ無線ＬＡＮ通信装置５０００の無線受信部４０２０は、部分受信データを含む無線信号を受信する。スレーブ無線ＬＡＮ通信装置５０００はその後、ステップＳ１０４において、マスタ無線ＬＡＮ通信装置４０００から受信同期信号を受信するまで待機する。
【００９５】
ステップＳ１０６において、マスタ無線ＬＡＮ通信装置４０００の受信タイミング送信部４０４０は、スレーブ無線ＬＡＮ通信装置５０００に対し、受信同期信号を送信する。そして、マスタ無線ＬＡＮ通信装置４０００は、ステップＳ１０８において、スレーブ無線ＬＡＮ通信装置５０００から応答信号を受信するまで待機する。
【００９６】
ステップＳ１０４で待機していたスレーブ無線ＬＡＮ通信装置５０００は、マスタ無線ＬＡＮ通信装置４０００から受信同期信号を受信して、ステップＳ１１０に進む。
【００９７】
ステップＳ１１０において、スレーブ無線ＬＡＮ通信装置５０００は、マスタ無線ＬＡＮ通信装置４０００に対して応答信号を送信する。そして、ステップＳ１１２に進む。
【００９８】
ステップＳ１０８で待機していたマスタ無線ＬＡＮ通信装置４０００は、スレーブ無線ＬＡＮ通信装置５０００から応答信号を受信して、ステップＳ１１２に進む。
【００９９】
このように、ステップＳ１１０までの処理によって、マスタ無線ＬＡＮ通信装置４０００とスレーブ無線ＬＡＮ通信装置５０００がステップＳ１１２の処理を行うタイミングを揃える。
【０１００】
ステップＳ１１２において、マスタ無線ＬＡＮ通信装置４０００の信号処理部４０８０と、スレーブ無線ＬＡＮ通信装置５０００の信号処理部４０８０はそれぞれ、無線信号から部分受信データを抽出する。
【０１０１】
ステップＳ１１４において、スレーブ無線ＬＡＮ通信装置５０００は、信号処理部４０８０が抽出した部分受信データを、マスタ無線ＬＡＮ通信装置４０００へ送信する。
【０１０２】
ステップＳ１１６において、マスタ無線ＬＡＮ通信装置４０００の受信データ収集部４１００は、スレーブ無線ＬＡＮ通信装置５０００から、部分受信データを受信する。
【０１０３】
ステップＳ１１８において、マスタ無線ＬＡＮ通信装置４０００の受信データ結合部４１２０は、マスタ無線ＬＡＮ通信装置４０００が抽出した部分受信データと、スレーブ無線ＬＡＮ通信装置５０００が抽出した部分受信データを結合して、１つの送信データを復元する。
【０１０４】
＜変形例１＞
図９に示すように、マスタ無線ＬＡＮ通信装置４０００は、スレーブ無線ＬＡＮ通信装置５０００が有する機能構成部を有していてもよい。こうすることで、マスタ無線ＬＡＮ通信装置４０００は、スレーブ無線ＬＡＮ通信装置５０００としても機能することができる。図９において、実線の矢印は、マスタ無線ＬＡＮ通信装置４０００がマスタ無線ＬＡＮ通信装置４０００として動作する場合の情報の流れを示している。また、図９において、点線の矢印は、マスタ無線ＬＡＮ通信装置４０００がスレーブ無線ＬＡＮ通信装置５０００として動作する場合の情報の流れを表している。
【０１０５】
同様に、スレーブ無線ＬＡＮ通信装置５０００は、マスタ無線ＬＡＮ通信装置４０００が有する機能構成部を有していてもよい。この場合、スレーブ無線ＬＡＮ通信装置５０００は、マスタ無線ＬＡＮ通信装置４０００としても機能することができる。また、この場合のスレーブ無線ＬＡＮ通信装置５０００の構成は、図９に示すマスタ無線ＬＡＮ通信装置４０００の構成と同様である。
【０１０６】
＜変形例２＞
図１０に示すように、マスタ無線ＬＡＮ通信装置４０００及びスレーブ無線ＬＡＮ通信装置５０００は、無線受信部４０２０及び信号処理部４０８０を複数有していてもよい。例えば、マスタ無線ＬＡＮ通信装置４０００とスレーブ無線ＬＡＮ通信装置５０００は、無線受信部４０２０と信号処理部４０８０をそれぞれ２つずつ有するとする。この場合、マスタ無線ＬＡＮ通信装置４０００は、４つの無線受信部４０２０がそれぞれ受信した無線信号のそれぞれに含まれる部分受信データを収集し、１つの送信データを復元する。各無線受信部４０２０が受信した無線信号はそれぞれ、各信号処理部４０８０で処理される。
【０１０７】
変形例２において、部分受信データ送信部５０４０は、例えばスレーブ無線ＬＡＮ通信装置５０００の全ての信号処理部４０８０から部分送信データを収集し、受信データ収集部４１００へ送信する。
【０１０８】
また、変形例２において、マスタ無線ＬＡＮ通信装置４０００とスレーブ無線ＬＡＮ通信装置５０００は、例えば次の方法で同期を行う。マスタ無線ＬＡＮ通信装置４０００の受信タイミング送信部４０４０は、マスタ無線ＬＡＮ通信装置４０００の全ての信号処理部４０８０が部分受信データを含む無線信号の処理を開始する前に、受信同期信号を送信する。受信タイミング受信部５０２０は、受信同期信号を受信する。そして、受信タイミング受信部５０２０は、受信同期信号を受信したタイミングで、マスタ無線ＬＡＮ通信装置４０００に対して応答信号を送信すると共に、スレーブ無線ＬＡＮ通信装置５０００の各信号処理部４０８０に対して通知を行う。上記通知を受けたスレーブ無線ＬＡＮ通信装置５０００の各信号処理部４０８０は、対応する無線受信部４０２０が受信した無線信号の処理を開始する。
【０１０９】
応答信号を受信したマスタ無線ＬＡＮ通信装置４０００の受信タイミング送信部４０４０は、応答信号を受信したタイミングで、マスタ無線ＬＡＮ通信装置４０００の各信号処理部４０８０へ通知を行う。上記通知を受けたマスタ無線ＬＡＮ通信装置４０００の各信号処理部４０８０は、上記通知を受けたタイミングで、対応する無線受信部４０２０が受信した無線信号の処理を開始する。
【０１１０】
＜変形例３＞
マスタ無線ＬＡＮ通信装置４０００は、実施形態１で示したマスタ無線ＬＡＮ通信装置２０００、又はスレーブ無線ＬＡＮ通信装置３０００が有する機能構成部をさらに有していてもよい。また、それに加え、マスタ無線ＬＡＮ通信装置４０００は、さらにスレーブ無線ＬＡＮ通信装置５０００が有する機能構成部をさらに有していてもよい。これらの場合、マスタ無線ＬＡＮ通信装置４０００は、送信装置としても、受信装置としても動作する。
【０１１１】
図１１は、マスタ無線ＬＡＮ通信装置２０００が有する機能構成部をさらに有するマスタ無線ＬＡＮ通信装置４０００を表すブロック図である。図１１における実線の矢印は、マスタ無線ＬＡＮ通信装置４０００がマスタ無線ＬＡＮ通信装置２０００として動作する場合の情報の流れを示している。また、図１１における点線の矢印は、マスタ無線ＬＡＮ通信装置４０００がマスタ無線ＬＡＮ通信装置４０００として動作する場合の情報の流れを示している。
【０１１２】
図１２は、スレーブ無線ＬＡＮ通信装置３０００が有する機能構成部をさらに有するマスタ無線ＬＡＮ通信装置４０００を表すブロック図である。図１２における実線の矢印は、マスタ無線ＬＡＮ通信装置４０００が、スレーブ無線ＬＡＮ通信装置３０００として動作する場合の情報の流れを示している。また、図１２における点線の矢印の意味は、図１１と同様である。
【０１１３】
図１３は、マスタ無線ＬＡＮ通信装置２０００が有する機能構成部、及びスレーブ無線ＬＡＮ通信装置３０００が有する機能構成部をさらに有するマスタ無線ＬＡＮ通信装置４０００を表すブロック図である。矢印の意味は、図１１と同様である。なお、図が煩雑になるのを避けるため、マスタ無線ＬＡＮ通信装置４０００がスレーブ無線ＬＡＮ通信装置３０００として動作する場合の情報の流れは省略する。
【０１１４】
図１４は、マスタ無線ＬＡＮ通信装置２０００が有する機能構成部、及びスレーブ無線ＬＡＮ通信装置５０００が有する機能構成部をさらに有するマスタ無線ＬＡＮ通信装置４０００を表すブロック図である。矢印の意味は、図１１と同様である。なお、図が煩雑になるのを避けるため、マスタ無線ＬＡＮ通信装置４０００がスレーブ無線ＬＡＮ通信装置５０００として動作する場合の情報の流れは省略する。
【０１１５】
図１５は、スレーブ無線ＬＡＮ通信装置３０００が有する機能構成部、及びスレーブ無線ＬＡＮ通信装置５０００が有する機能構成部をさらに有するマスタ無線ＬＡＮ通信装置４０００を表すブロック図である。図１５における実線の矢印は、マスタ無線ＬＡＮ通信装置４０００がスレーブ無線ＬＡＮ通信装置３０００として動作する場合の情報の流れを示している。図１５における点線の矢印の意味は、図１１と同様である。なお、図が煩雑になるのを避けるため、マスタ無線ＬＡＮ通信装置４０００がスレーブ無線ＬＡＮ通信装置５０００として動作する場合の情報の流れは省略する。
【０１１６】
図１６は、マスタ無線ＬＡＮ通信装置２０００が有する機能構成部、スレーブ無線ＬＡＮ通信装置３０００が有する機能構成部、及びスレーブ無線ＬＡＮ通信装置５０００が有する機能構成部をさらに有するマスタ無線ＬＡＮ通信装置４０００を表すブロック図である。図１６における矢印の意味は、図１１と同様である。なお、図が煩雑になるのを避けるため、マスタ無線ＬＡＮ通信装置４０００がスレーブ無線ＬＡＮ通信装置３０００として動作する場合の情報の流れと、マスタ無線ＬＡＮ通信装置４０００がスレーブ無線ＬＡＮ通信装置５０００として動作する場合の情報の流れは省略する。
【０１１７】
＜変形例４＞
スレーブ無線ＬＡＮ通信装置５０００は、実施形態１で示したマスタ無線ＬＡＮ通信装置２０００、又はスレーブ無線ＬＡＮ通信装置３０００が有する機能構成部をさらに有していてもよい。これらの場合、スレーブ無線ＬＡＮ通信装置５０００は、送信装置としても、受信装置としても動作する。
【０１１８】
図１７は、マスタ無線ＬＡＮ通信装置２０００が有する機能構成部をさらに有するスレーブ無線ＬＡＮ通信装置５０００を表すブロック図である。図１７における実線の矢印は、スレーブ無線ＬＡＮ通信装置５０００がマスタ無線ＬＡＮ通信装置２０００として動作する場合の情報の流れを示している。また、図１７における点線の矢印は、スレーブ無線ＬＡＮ通信装置５０００がスレーブ無線ＬＡＮ通信装置５０００として動作する場合の情報の流れを示している。
【０１１９】
図１８は、スレーブ無線ＬＡＮ通信装置３０００が有する機能構成部が有する機能構成部をさらに有するスレーブ無線ＬＡＮ通信装置５０００を表すブロック図である。図１８における実線の矢印は、スレーブ無線ＬＡＮ通信装置５０００が、スレーブ無線ＬＡＮ通信装置３０００として動作する場合の情報の流れを示している。また、図１８における点線の矢印の意味は図１７と同様である。
【０１２０】
図１９は、マスタ無線ＬＡＮ通信装置２０００が有する機能構成部、及びスレーブ無線ＬＡＮ通信装置３０００が有する機能構成部をさらに有するスレーブ無線ＬＡＮ通信装置５０００を表すブロック図である。矢印の意味は、図１７と同様である。なお、図が煩雑になるのを避けるため、スレーブ無線ＬＡＮ通信装置５０００がスレーブ無線ＬＡＮ通信装置３０００として動作する場合の情報の流れは省略する。
【０１２１】
＜変形例５＞
マスタ無線ＬＡＮ通信装置４０００とスレーブ無線ＬＡＮ通信装置５０００は、ダイバーシティを行うことを目的に利用することも可能である。この場合、マスタ無線ＬＡＮ通信装置４０００とスレーブ無線ＬＡＮ通信装置５０００は、同じ送信データを含む無線信号を受信する。このように、複数の無線受信部４０２０で同じ送信データを含む無線信号を受信することで、受信データの品質及び信頼性を向上することができる。なお、ダイバーシティ技術は既知の技術であるため、詳細な説明は省略する。
【０１２２】
＜変形例６＞
マスタ無線ＬＡＮ通信装置４０００とスレーブ無線ＬＡＮ通信装置５０００は、協調動作させることによって張り出し局として機能させることも可能である。この場合、受信データ収集部４１００は、例えば信号処理部４０８０が抽出したデータと、スレーブ無線ＬＡＮ通信装置５０００から収集したデータのうち、受信状態が良い無線受信部４０２０が受信したデータを、受信データとして扱う。このように、例えばマスタ無線ＬＡＮ通信装置４０００とスレーブ無線ＬＡＮ通信装置５０００が有する無線受信部４０２０の受信状態の変化に応じて受信データを選択することで、受信データの品質を向上することができる。
【０１２３】
＜作用・効果＞
以上の構成により、本実施形態によれば、マスタ無線ＬＡＮ通信装置４０００は、スレーブ無線ＬＡＮ通信装置５０００へ受信同期信号を送信する。また、マスタ無線ＬＡＮ通信装置４０００は、スレーブ無線ＬＡＮ通信装置５０００が受信した部分受信データを収集する。そして、マスタ無線ＬＡＮ通信装置４０００は、マスタ無線ＬＡＮ通信装置４０００が受信した部分受信データと、スレーブ無線ＬＡＮ通信装置５０００から収集した部分受信データを結合して、１つの送信データを復元する。このようにマスタ無線ＬＡＮ通信装置４０００は、スレーブ無線ＬＡＮ通信装置５０００と分担して部分受信データを受信できるため、スレーブ無線ＬＡＮ通信装置５０００を増設することができる。マスタ無線ＬＡＮ通信装置４０００は、スレーブ無線ＬＡＮ通信装置５０００を増設可能とすることで、通信速度の向上や、同時接続可能なユーザ数の増加を行うことができる。また、信号処理部４０８０が受信指向性を利用した信号分離を行う場合、マスタ無線ＬＡＮ通信装置４０００は、スレーブ無線ＬＡＮ通信装置５０００を増設することで、信号分離に利用する受信指向性の設定数を増やすことができる。これにより、送信データを送信するアンテナの数を増やし、送信装置の通信速度を向上可能にすることができる。
【０１２４】
以上、図面を参照して本発明の実施形態及び実施例について述べたが、これらは本発明の例示であり、上記以外の様々な構成を採用することもできる。
【０１２５】
＜付記＞
（付記１）
第１の送信データを分割して、複数の第１部分送信データを生成する送信データ分割手段と、
前記複数の第１部分送信データの一部を、他の送信用の無線ＬＡＮ通信装置へ分配する送信データ分配手段と、
前記複数の第１部分送信データを送信するタイミングを示す送信同期信号を、前記他の送信用の無線ＬＡＮ通信装置へ送信する送信タイミング送信手段と、
前記送信同期信号を送信したタイミングに基づいて、前記複数の第１部分送信データのうち、前記他の送信用の無線ＬＡＮ通信装置へ分配しなかった第１部分送信データを、無線で送信する無線送信手段と、
を有する無線ＬＡＮ通信装置。
（付記２）
第２の送信データを分割することによって生成した複数の第２部分送信データの一部を、他の送信用の無線ＬＡＮ通信装置から受信する部分送信データ受信手段と、
前記複数の第２部分送信データを送信するタイミングを示す前記送信同期信号を受信する送信タイミング受信手段と、
をさらに有し、
前記無線送信手段は、前記送信タイミング受信手段が前記送信同期信号を受信した場合は、前記送信同期信号を受信したタイミングに基づいて、前記部分送信データ受信手段が受信した前記第２部分送信データを無線で送信すること、
を特徴とする付記１記載の無線ＬＡＮ通信装置。
（付記３）
第１の送信データを分割することによって生成した複数の第１部分送信データの一部を、他の無線ＬＡＮ通信装置から受信する部分送信データ受信手段と、
前記第１部分送信データを送信するタイミングを示す送信同期信号を受信する送信タイミング受信手段と、
前記送信同期信号を受信したタイミングに基づいて、前記部分送信データ受信手段が受信した前記第１部分送信データを送信する無線送信手段と、
を有する無線ＬＡＮ通信装置。
（付記４）
第３の送信データを分割して生成された複数の第３部分受信データの一部を含む無線信号を受信する無線受信手段と、
前記複数の第３部分受信データを分担して受信する他の受信用の無線ＬＡＮ通信装置に対し、前記第３部分受信データを処理するタイミングを示す受信同期信号を送信する受信タイミング送信手段と、
前記他の受信用の無線ＬＡＮ通信装置との間で、前記無線信号が伝送される伝送路の特性を表すチャネル推定情報を送受信するチャネル推定情報送受信手段と、
前記受信同期信号を送信したタイミングに基づき、前記チャネル推定情報を用いて、前記無線信号から、前記第３部分受信データを抽出する信号処理手段と、
前記他の受信用の無線ＬＡＮ通信装置から、前記第３部分受信データを収集する受信データ収集手段と、
前記信号処理手段が抽出した前記第３部分受信データと、前記受信データ収集手段が収集した前記第３部分受信データとを結合し、前記第３の送信データを復元するデータ結合手段と、
をさらに有する付記１乃至３記載の無線ＬＡＮ通信装置。
（付記５）
第４の送信データから生成された複数の第４部分受信データを分担して受信する他の受信用の無線ＬＡＮ通信装置から、前記第４部分受信データを処理するタイミングを示す受信同期信号を受信する受信タイミング受信手段と、
前記信号処理手段が抽出した前記第４部分受信データを、前記他の受信用の無線ＬＡＮ通信装置へ送信する部分受信データ送信手段と、
をさらに有し、
前記信号処理手段は、前記受信タイミング受信手段が前記受信同期信号を受信した場合は、前記受信同期信号を受信したタイミングに基づいて、前記無線信号を処理すること、
を特徴とする付記４記載の無線ＬＡＮ通信装置。
（付記６）
第１の送信データを分割して生成された複数の第１部分受信データの一部を含む無線信号を受信する無線受信手段と、
前記複数の第１部分受信データを分担して受信する他の受信用の無線ＬＡＮ通信装置に対し、前記第１部分受信データを処理するタイミングを示す受信同期信号を送信する受信タイミング送信手段と、
前記他の受信用の無線ＬＡＮ通信装置との間で、前記無線信号が伝送される伝送路の特性を表すチャネル推定情報を送受信するチャネル推定情報送受信手段と、
前記受信同期信号を送信したタイミングに基づき、前記チャネル推定情報を用いて、前記無線信号から、前記第１部分受信データを抽出する信号処理手段と、
前記他の受信用の無線ＬＡＮ通信装置から、前記第１部分受信データを収集する受信データ収集手段と、
前記信号処理手段が抽出した前記第１部分受信データと、前記受信データ収集手段が収集した前記第１部分受信データを結合し、前記第１の送信データを復元するデータ結合手段と、
を有する無線ＬＡＮ通信装置。
（付記７）
第２の送信データから生成された複数の第２部分受信データを分担して受信する他の受信用の無線ＬＡＮ通信装置から、前記第２部分受信データを処理するタイミングを示す前記受信同期信号を受信する受信タイミング受信手段と、
前記信号処理手段が抽出した前記第２部分受信データを、前記他の受信用の無線ＬＡＮ通信装置へ送信する部分受信データ送信手段と、
をさらに有し、
前記信号処理手段は、前記受信タイミング受信手段が前記受信同期信号を受信した場合は、前記受信同期信号を受信したタイミングに基づいて、前記無線信号を処理すること、
を特徴とする付記６記載の無線ＬＡＮ通信装置。
（付記８）
第１の送信データを分割して生成された複数の第１部分受信データの一部を含む無線信号を受信する無線受信手段と、
前記複数の第１部分受信データを分担して受信する他の受信用の無線ＬＡＮ通信装置から、前記第１部分受信データを処理するタイミングを示す受信同期信号を受信する受信タイミング受信手段と、
前記他の受信用の無線ＬＡＮ通信装置との間で、前記無線信号が伝送される伝送路の特性を表すチャネル推定情報を送受信するチャネル推定情報送受信手段と、
前記受信同期信号を受信したタイミングに基づき、前記チャネル推定情報を用いて、前記無線信号から、前記第１部分受信データを抽出する信号処理手段と、
前記信号処理手段が抽出した前記第１部分受信データを、前記他の受信用の無線ＬＡＮ通信装置へ送信する部分受信データ送信手段と、
を有する無線ＬＡＮ通信装置。
（付記９）
コンピュータを、無線ＬＡＮ通信装置として機能させる無線ＬＡＮ通信装置制御プログラムであって、
前記コンピュータに、
第１の送信データを分割して、複数の第１部分送信データを生成する送信データ分割機能と、
前記複数の第１部分送信データの一部を、他の送信用の無線ＬＡＮ通信装置へ分配する送信データ分配機能と、
前記複数の第１部分送信データを送信するタイミング示す送信同期信号を、前記他の送信用の無線ＬＡＮ通信装置へ送信する送信タイミング送信機能と、
前記送信同期信号を送信したタイミングに基づいて、前記複数の第１部分送信データのうち、前記他の送信用の無線ＬＡＮ通信装置へ分配しなかった第１部分送信データを、無線で送信する無線送信機能と、
を持たせる無線ＬＡＮ通信装置制御プログラム。
（付記１０）
付記９記載の無線ＬＡＮ通信装置制御プログラムであって、
前記コンピュータに、
第２の送信データを分割することによって生成した複数の第２部分送信データの一部を、他の送信用の無線ＬＡＮ通信装置から受信する部分送信データ受信機能と、
前記第２部分送信データを送信するタイミングを示す送信同期信号を受信する送信タイミング受信機能と、
をさらに持たせ、
前記無線送信機能は、前記送信タイミング受信機能が前記送信同期信号を受信した場合は、前記送信同期信号を受信したタイミングに基づいて、前記部分送信データ受信機能  が受信した前記第２部分送信データを無線で送信すること、
を特徴とする無線ＬＡＮ通信装置制御プログラム。
（付記１１）
コンピュータを、無線ＬＡＮ通信装置として機能させる無線ＬＡＮ通信装置制御プログラムであって、
前記コンピュータに、
第１の送信データを分割することによって生成した複数の第１部分送信データの一部を、他の無線ＬＡＮ通信装置から受信する部分送信データ受信機能と、
前記第１部分送信データを送信するタイミングを示す送信同期信号を受信する送信タイミング受信機能と、
前記送信同期信号を受信したタイミングに基づいて、前記部分送信データ受信機能が受信した前記第１部分送信データを送信する無線送信機能と、
を持たせる無線ＬＡＮ通信装置制御プログラム。
（付記１２）
前記コンピュータに、
第３の送信データを分割して生成された複数の第３部分受信データの一部を含む無線信号を受信する無線受信機能と、
前記複数の第３部分受信データを分担して受信する他の受信用の無線ＬＡＮ通信装置に対し、前記第３部分受信データを処理するタイミングを示す前記受信同期信号を送信する受信タイミング送信機能と、
前記他の受信用の無線ＬＡＮ通信装置との間で、前記無線信号が伝送される伝送路の特性を表すチャネル推定情報を送受信するチャネル推定情報送受信機能と、
前記受信同期信号を送信したタイミングに基づき、前記チャネル推定情報を用いて、前記無線信号から、前記第３部分受信データを抽出する信号処理機能と、
前記他の受信用の無線ＬＡＮ通信装置から、前記第３部分受信データを収集する受信データ収集機能と、
前記信号処理機能が抽出した前記第３部分受信データと、前記受信データ収集機能が収集した前記第３部分受信データとを結合し、前記第３の送信データを復元するデータ結合機能と、
をさらに持たせる付記９乃至１１いずれか一つに記載の無線ＬＡＮ通信装置制御プログラム。
（付記１３）
付記１２に記載の無線ＬＡＮ通信装置制御プログラムであって、
前記コンピュータに、
第４の送信データから生成された複数の第４部分受信データを分担して受信する他の受信用の無線ＬＡＮ通信装置から、前記第４部分受信データを処理するタイミングを示す前記受信同期信号を受信する受信タイミング受信機能と、
前記信号処理機能が抽出した前記第４部分受信データを、前記他の受信用の無線ＬＡＮ通信装置へ送信する部分受信データ送信機能と、
をさらに持たせ、
前記信号処理機能は、前記受信タイミング受信機能が前記受信同期信号を受信した場合は、前記受信同期信号を受信したタイミングに基づいて、前記無線信号を処理すること、
を特徴とする無線ＬＡＮ通信装置制御プログラム。
（付記１４）
コンピュータを、無線ＬＡＮ通信装置として機能させる無線ＬＡＮ通信装置制御プログラムであって、
前記コンピュータに、
第１の送信データを分割して生成された複数の第１部分受信データの一部を含む無線信号を受信する無線受信機能と、
前記複数の第１部分受信データを分担して受信する他の受信用の無線ＬＡＮ通信装置に対し、前記第１部分受信データを処理するタイミングを示す受信同期信号を送信する受信タイミング送信機能と、
前記他の受信用の無線ＬＡＮ通信装置との間で、前記無線信号が伝送される伝送路の特性を表すチャネル推定情報を送受信するチャネル推定情報送受信機能と、
前記受信同期信号を送信したタイミングに基づき、前記チャネル推定情報を用いて、前記無線信号から、前記第１部分受信データを抽出する信号処理機能と、
前記他の受信用の無線ＬＡＮ通信装置から、前記第１部分受信データを収集する受信データ収集機能と、
前記信号処理機能が抽出した前記第１部分受信データと、前記受信データ収集機能が収集した前記第１部分受信データを結合し、前記第１の送信データを復元するデータ結合機能と、
を持たせる無線ＬＡＮ通信装置制御プログラム。
（付記１５）
付記１４記載の無線ＬＡＮ通信装置制御プログラムであって、
前記コンピュータに、
第２の送信データから生成された複数の第２部分受信データを分担して受信する他の受信用の無線ＬＡＮ通信装置から、前記第２部分受信データを処理するタイミングを示す前記受信同期信号を受信する受信タイミング受信機能と、
前記信号処理機能が抽出した前記第２部分受信データを、前記他の受信用の無線ＬＡＮ通信装置へ送信する部分受信データ送信機能と、
をさらに持たせ、
前記信号処理機能は、前記受信タイミング受信機能が前記受信同期信号を受信した場合は、前記受信同期信号を受信したタイミングに基づいて、前記無線信号を処理すること、
を特徴とする無線ＬＡＮ通信装置制御プログラム。
（付記１６）
コンピュータを、無線ＬＡＮ通信装置として機能させる無線ＬＡＮ通信装置制御プログラムであって、
前記コンピュータに、
第１の送信データから生成された複数の第１部分受信データを分担して受信する他の受信用の無線ＬＡＮ通信装置から、前記第１部分受信データを処理するタイミングを示す受信同期信号を受信する受信タイミング受信機能と、
前記他の受信用の無線ＬＡＮ通信装置との間で、前記無線信号が伝送される伝送路の特性を表すチャネル推定情報を送受信するチャネル推定情報送受信機能と、
前記受信同期信号を受信したタイミングに基づき、前記チャネル推定情報を用いて、前記無線信号から、前記第１部分受信データを抽出する信号処理機能と、
前記信号処理機能が抽出した前記第１部分受信データを、前記他の受信用の無線ＬＡＮ通信装置へ送信する部分受信データ送信機能と、
を持たせる無線ＬＡＮ通信装置制御プログラム。
（付記１７）
コンピュータが、無線ＬＡＮ通信装置を制御する無線ＬＡＮ通信装置制御方法であって、
前記コンピュータが、第１の送信データを分割して、複数の第１部分送信データを生成する送信データ分割ステップと、
前記コンピュータが、前記複数の第１部分送信データの一部を、他の送信用の無線ＬＡＮ通信装置へ分配する送信データ分配ステップと、
前記コンピュータが、前記複数の第１部分送信データを送信するタイミング示す送信同期信号を、前記他の送信用の無線ＬＡＮ通信装置へ送信する送信タイミング送信ステップと、
前記コンピュータが、前記送信同期信号を送信したタイミングに基づいて、前記複数の第１部分送信データのうち、前記他の送信用の無線ＬＡＮ通信装置へ分配しなかった第１部分送信データを、無線で送信する無線送信ステップと、
を有する無線ＬＡＮ通信装置制御方法。
（付記１８）
付記１７記載の無線ＬＡＮ通信装置制御方法であって、
前記コンピュータが、第２の送信データを分割することによって生成した複数の第２部分送信データの一部を、他の送信用の無線ＬＡＮ通信装置から受信する部分送信データ受信ステップと、
前記コンピュータが、前記第２部分送信データを送信するタイミングを示す前記送信同期信号を受信する送信タイミング受信ステップと、
をさらに有し、
前記無線送信ステップは、前記送信タイミング受信ステップにおいて前記送信同期信号を受信した場合は、前記コンピュータが、前記送信同期信号を受信したタイミングに基づいて、前記部分送信データ受信手段が受信した前記第２部分送信データを無線で送信すること、
を特徴とする無線ＬＡＮ通信装置制御方法。
（付記１９）
コンピュータが無線ＬＡＮ通信装置を制御する無線ＬＡＮ通信装置制御方法であって、
前記コンピュータが、第１の送信データを分割することによって生成した複数の第１部分送信データの一部を、他の無線ＬＡＮ通信装置から受信する部分送信データ受信ステップと、
前記コンピュータが、前記第１部分送信データを送信するタイミングを示す送信同期信号を受信する送信タイミング受信ステップと、
前記コンピュータが、前記送信同期信号を受信したタイミングに基づいて、前記部分送信データ受信ステップにおいて受信した前記第１部分送信データを送信する無線送信ステップと、
を有する無線ＬＡＮ通信装置制御方法。
（付記２０）
前記コンピュータが、第３の送信データを分割して生成された複数の第３部分受信データの一部を含む無線信号を受信する無線受信ステップと、
前記コンピュータが、前記複数の第３部分受信データを分担して受信する他の受信用の無線ＬＡＮ通信装置に対し、前記第３部分受信データを処理するタイミングを示す前記受信同期信号を送信する受信タイミング送信ステップと、
前記コンピュータが、前記他の受信用の無線ＬＡＮ通信装置との間で、前記無線信号が伝送される伝送路の特性を表すチャネル推定情報を送受信するチャネル推定情報送受信ステップと、
前記コンピュータが、前記受信同期信号を送信したタイミングに基づき、前記チャネル推定情報を用いて、前記無線信号から、前記第３部分受信データを抽出する信号処理ステップと、
前記コンピュータが、前記他の受信用の無線ＬＡＮ通信装置から、前記第３部分受信データを収集する受信データ収集ステップと、
前記コンピュータが、前記信号処理ステップにおいて抽出した前記第３部分受信データと、前記受信データ収集ステップにおいて収集した前記第３部分受信データとを結合し、前記第３の送信データを復元するデータ結合ステップと、
をさらに有する付記１７乃至１９いずれか一つに記載の無線ＬＡＮ通信装置制御方法。
（付記２１）
付記２０に記載の無線ＬＡＮ通信装置制御方法であって、
前記コンピュータが、第４の送信データから生成された複数の第４部分受信データを分担して受信する他の受信用の無線ＬＡＮ通信装置から、前記第４部分受信データを処理するタイミングを示す前記受信同期信号を受信する受信タイミング受信ステップと、
前記コンピュータが、前記信号処理ステップにおいて抽出した前記第４部分受信データを、前記他の受信用の無線ＬＡＮ通信装置へ送信する部分受信データ送信ステップと、
をさらに有し、
前記信号処理ステップは、前記受信タイミング受信ステップにおいて前記コンピュータが、前記受信同期信号を受信した場合は、前記受信同期信号を受信したタイミングに基づいて、前記無線信号を処理すること、
を特徴とする無線ＬＡＮ通信装置制御方法。
（付記２２）
コンピュータが、無線ＬＡＮ通信装置を制御する無線ＬＡＮ通信装置制御方法であって、
前記コンピュータが、第１の送信データを分割して生成された複数の第１部分受信データの一部を含む無線信号を受信する無線受信ステップと、
前記コンピュータが、前記複数の第１部分受信データを分担して受信する他の受信用の無線ＬＡＮ通信装置に対し、前記第１部分受信データを処理するタイミングを示す受信同期信号を送信する受信タイミング送信ステップと、
前記コンピュータが、前記他の受信用の無線ＬＡＮ通信装置との間で、前記無線信号が伝送される伝送路の特性を表すチャネル推定情報を送受信するチャネル推定情報送受信ステップと、
前記コンピュータが、前記受信同期信号を送信したタイミングに基づき、前記チャネル推定情報を用いて、前記無線信号から、前記第１部分受信データを抽出する信号処理ステップと、
前記コンピュータが、前記他の受信用の無線ＬＡＮ通信装置から、前記第１部分受信データを収集する受信データ収集ステップと、
前記コンピュータが、前記信号処理ステップにおいて抽出した前記第１部分受信データと、前記受信データ収集ステップにおいて収集した前記第１部分受信データを結合し、前記第１の送信データを復元するデータ結合ステップと、
を有する無線ＬＡＮ通信装置制御方法。
（付記２３）
付記２２記載の無線ＬＡＮ通信装置制御方法であって、
前記コンピュータが、第２の送信データから生成された複数の第２部分受信データを分担して受信する他の受信用の無線ＬＡＮ通信装置から、前記第２部分受信データを処理するタイミングを示す前記受信同期信号を受信する受信タイミング受信ステップと、
前記コンピュータが、前記信号処理ステップにおいて抽出した前記第２部分受信データを、前記他の受信用の無線ＬＡＮ通信装置へ送信する部分受信データ送信ステップと、
をさらに有し、
前記信号処理ステップは、前記受信タイミング受信ステップにおいて前記受信同期信号を受信した場合は、前記受信同期信号を受信したタイミングに基づいて、前記無線信号を処理すること、
を特徴とする無線ＬＡＮ通信装置制御方法。
（付記２４）
コンピュータが、無線ＬＡＮ通信装置を制御する無線ＬＡＮ通信装置制御方法であって、
前記コンピュータが、第１の送信データから生成された複数の第１部分受信データを分担して受信する他の受信用の無線ＬＡＮ通信装置から、前記第１部分受信データを処理するタイミングを示す受信同期信号を受信する受信タイミング受信ステップと、
前記コンピュータが、前記他の受信用の無線ＬＡＮ通信装置との間で、前記無線信号が伝送される伝送路の特性を表すチャネル推定情報を送受信するチャネル推定情報送受信ステップと、
前記コンピュータが、前記受信同期信号を受信したタイミングに基づき、前記チャネル推定情報を用いて、前記無線信号から、前記第１部分受信データを抽出する信号処理ステップと、
前記コンピュータが、前記信号処理ステップにおいて抽出した前記第１部分受信データを、前記他の受信用の無線ＬＡＮ通信装置へ送信する部分受信データ送信ステップと、
を有する無線ＬＡＮ通信装置制御方法。
【符号の説明】
【０１２６】
２０００ マスタ無線ＬＡＮ通信装置
２０２０ 送信データ分割部
２０４０ 送信データ分配部
２０６０ 送信タイミング送信部
２０８０ 無線送信部
２１２０ 符号化部
２１４０ 変調部
２１６０ ガードインターバル挿入部
２１８０ ＲＦ処理部
３０００ スレーブ無線ＬＡＮ通信装置
３０２０ 部分送信データ受信部
３０４０ 送信タイミング受信部
４０００ マスタ無線ＬＡＮ通信装置
４０２０ 無線受信部
４０４０ 受信タイミング送信部
４０６０ チャネル推定情報送受信部
４０８０ 信号処理部
４０８１ ＲＦ処理部
４０８２ ガードインターバル除去部
４０８３ 信号分離部
４０８４ 復調部
４０８５ 復号部
４１００ 受信データ収集部
４１２０ 受信データ結合部
５０００ スレーブ無線ＬＡＮ通信装置
５０２０ 受信タイミング受信部
５０４０ 部分受信データ送信部
【図１】
2014082553.tif 000003
【図２】
2014082553.tif 000004
【図３】
2014082553.tif 000005
【図４】
2014082553.tif 000006
【図５】
2014082553.tif 000007
【図６】
2014082553.tif 000008
【図７】
2014082553.tif 000009
【図８】
2014082553.tif 000010
【図９】
2014082553.tif 000011
【図１０】
2014082553.tif 000012
【図１１】
2014082553.tif 000013
【図１２】
2014082553.tif 000014
【図１３】
2014082553.tif 000015
【図１４】
2014082553.tif 000016
【図１５】
2014082553.tif 000017
【図１６】
2014082553.tif 000018
【図１７】
2014082553.tif 000019
【図１８】
2014082553.tif 000020
【図１９】
2014082553.tif 000021